(57)【要約】【課題】フェライトコア等のコイルを載置した台座を回路基板に挿入実装するに際し、実装面積が小さく、挿入時の誤実装を確実に防止し得るコイル装着器及びコイル実装方法を提供することを目的とする。【解決手段】コイル装着器１５は、コイル１４を載置すると共にコイル１４に巻き回される配線１２端部を係止する溝部１５ｇを有する台座１５ａと、当該台座１５ａの上部周縁に立設され、コイル１４を上方より縦状に案内し位置決めするガイド部材１５ｂと、当該ガイド部材１５ｂの下端より上方の一定位置の内側面に設けられ、コイル１４を当該一定位置で係止する段部１５ｃと、台座１５ａの下部周縁から下方伸延され、台座１５ａを前記回路基板１３上に支持する支持部１５ｄと、台座１５ａの下部周縁から下方伸延され、台座１５ａを前記回路基板１３上に挿入実装する、前記支持部１５ｄよりも長く、非対称に設けられた実装端子１５ｅとを有して成る。【選択図】図３
2006216915.tif 000002
【特許請求の範囲】
【請求項１】
電気電子機器に搭載される回路基板上にコイルを実装する際に装着するコイル装着器であって、
当該コイル装着器は、
コイルを載置する台座と、
当該台座の上部周縁に立設され、コイルを上方より縦状に案内し位置決めするガイド部材と、
当該ガイド部材の下端より上方の一定位置の内側面に設けられ、コイルを当該一定位置で係止する段部と、
台座の下部周縁から下方伸延され、台座を前記回路基板上に支持する支持部と、
台座の下部周縁から下方伸延され、台座を前記回路基板上に挿入実装する、前記支持部よりも長い実装端子とを有して成り、
前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、
前記ガイド部材は前記台座上面の略正方形の各角部に４つ立設される一方、前記支持部材は台座下面の略正方形の各角部に４つ伸延して設けられ、
前記実装端子は、台座下面の貫通孔周囲に非対称に３つ伸延して設けられ、
前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、
当該フェライトコアを前記ガイド部材間に上方から縦状に挿入し、前記段部に一定位置で係止させることで生ずるフェライトコアと台座間の空隔に、フェライトコアに巻き回される配線を収納することで配線の台座との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、
フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成すことを特徴とする、コイル装着器。
【請求項２】
電気電子機器に搭載される回路基板上にコイルを実装する際に装着するコイル装着器であって、
当該コイル装着器は、
コイルを載置する台座と、
当該台座の上部周縁に立設され、コイルを上方より縦状に案内し位置決めするガイド部材と、
台座の下部周縁から下方伸延され、台座を前記回路基板上の一定位置で支持する支持部と、
台座の下部周縁から下方伸延され、台座を前記回路基板上に挿入実装する、前記支持部よりも長い実装端子とを有して成り、
前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、
前記ガイド部材は前記台座上面の略正方形の各角部に４つ立設される一方、前記支持部材は台座下面の略正方形の各角部に４つ伸延して設けられ、
前記実装端子は、台座下面の貫通孔周囲に非対称に３つ伸延して設けられ、
前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、
当該フェライトコアを配線を巻き回す前に前記ガイド部材間に上方から縦状に挿入し、
台座上に載置した後に配線を支持部間を跨ぐように台座ごとフェライトコアに巻き回し、支持部によって生ずる台座と基板間の空隔に、フェライトコア及び台座に巻き回される配線を収納することで配線の基板との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、
フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成すことを特徴とする、コイル装着器。
【請求項３】
電気電子機器に搭載される回路基板上にコイルを実装する際に装着するコイル装着器であって、
当該コイル装着器は、
コイルを載置する台座と、
当該台座の上部周縁に立設され、コイルを上方より縦状に案内し位置決めするガイド部材と、
台座の下部周縁から下方伸延され、台座を前記回路基板上に挿入実装する、実装端子とを有して成り、
当該コイルを前記ガイド部材間に上方から縦状に挿入して台座上に当接載置し、コイルと前記ガイド部材間の接着剤による固定後、コイルの配線を適宜実装端子と接続し、
実装端子を回路基板に対応して設けられたスルーホールに半田実装することで、実装端子を介した回路基板への固定と電気接続を行い、回路基板へのコイルの縦状実装を成すことを特徴とする、コイル装着器。
【請求項４】
前記実装端子は、台座下面に非対称に複数が伸延して設けられ、回路基板に対応して設けられたスルーホールに半田実装することで誤実装を抑制せしめることを特徴とする、請求項３に記載のコイル装着器。
【請求項５】
前記コイル装着器は、台座の下部周縁から下方伸延され、台座を前記回路基板上に支持する支持部を有する一方、前記実装端子は当該支持部よりも長く形成され、
コイルが台座に載置された当該コイル装着器は、支持部下端が回路基板に当接、立脚した状態で実装端子が回路基板のスルーホールに挿入実装されることを特徴とする、請求項４に記載のコイル装着器。
【請求項６】
前記コイル装着器は、前記ガイド部材の下端より上方の一定位置の内側面に設けられ、コイルを当該一定位置で係止する段部を有し、
前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、
前記ガイド部材は前記台座上面の略正方形の各角部に４つ立設される一方、前記支持部材は台座下面の略正方形の各角部に４つ伸延して設けられ、
前記実装端子は、台座下面の貫通孔周囲に非対称に３つ伸延して設けられ、
前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、
当該フェライトコアを前記ガイド部材間に上方から縦状に挿入し、前記段部に一定位置で係止させることで生ずるフェライトコアと台座間の空隔に、フェライトコアに巻き回される配線を収納することで配線の台座との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、
フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成すことを特徴とする、請求項５に記載のコイル装着器。
【請求項７】
前記コイル装着器は、台座の下部周縁から下方伸延され、台座を前記回路基板上の一定位置で支持する支持部を有し、
前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、
前記ガイド部材は前記台座上面の略正方形の各角部に４つ立設される一方、前記支持部材は台座下面の略正方形の各角部に４つ伸延して設けられ、
前記実装端子は、台座下面の貫通孔周囲に非対称に３つ伸延して設けられ、
前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、
当該フェライトコアを配線を巻き回す前に前記ガイド部材間に上方から縦状に挿入し、
台座上に載置した後に配線を支持部間を跨ぐように台座ごとフェライトコアに巻き回し、支持部によって生ずる台座と基板間の空隔に、フェライトコア及び台座に巻き回される配線を収納することで配線の基板との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、
フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成すことを特徴とする、請求項５に記載のコイル装着器。
【請求項８】
電気電子機器に搭載される回路基板上にコイルを実装する際に用いるコイル実装方法であって、
当該コイル実装方法は、
略中心に貫通孔を有する断面が略正方形の板状の台座の各角部に立設した４つのガイド部材間に上方からコイルを縦状に挿入し、当該ガイド部の下端より上方の一定位置の内側面に設けられた段部で当接係止して生じたコイルと台座間の空隔に、フェライトコアに巻き回される配線を収納することで配線の台座との干渉を回避し且つ、放熱空間を確保可能に装着し、
台座の前記貫通孔の縁部に設けられた溝部に、前記コイルに巻き回される配線の端部を嵌入係止することで、台座下面の貫通孔周囲に非対称に３つ伸延して設けられた実装端子の内の隣接する１つと誤接続を抑制可能に容易に半田接続し、コイルとガイド部間を接着剤で固定後、
台座下面の略正方形の各角部から下方伸延された４つの支持部が回路基板上に当接するまで、当該支持部よりも長く下方へ非対称に３つ伸延された前記実装端子を、配線基板に対応して設けられたスルーホールに誤実装を抑制可能に半田挿入実装することで、３つの実装端子を介した回路基板への固定と、１つの実装端子を介した回路基板への電気接続とを行い、回路基板へのコイルの縦状実装を成すことを特徴とする、コイル実装方法。
【発明の詳細な説明】
【技術分野】
【０００１】
本発明は、電気電子機器に搭載される回路基板上にコイルを実装する際に装着するコイル装着器、及び電気電子機器に搭載される回路基板上にコイルを実装する際に用いるコイル実装方法に関する。
【背景技術】
【０００２】
近年の急速な電気・電子技術の進歩に伴い、一般社会においては多種にわたる電気・電子機器が広く普及するようになっている。それに伴い、当該機器より発生する電磁波の影響が問題視されるようになっている。
【０００３】
即ち、デジタル化電子機器の普及が高周波電磁波の漏洩となって、周囲の各種電気・電子機器に強い影響を与えるため、こうした不要輻射ノイズ対策が必要となってきている。
【０００４】
こうした電気・電子機器として例えば、スクリーンに映像等を映し出すための装置の一つにプロジェクタ装置がある。
【０００５】
プロジェクタ装置では、光源から発せられた光がスクリーンに投影される構造上、光源ランプが必要となる。光源ランプとしては、たとえば水銀ランプ、メタルハイドライドランプ、キセノンランプ等が用いられる。そして、この光源用ランプには、所定電圧に制御する電源回路から給電用のための電源ラインが配線される。当該プロジェクタ装置においては、特にこの光源ランプへの電源ラインにおける、接続コネクタ部分からの不要輻射ノイズの発生が大きい。
【０００６】
従来、プロジェクタ装置におけるこのような不要輻射ノイズは、裏面側に金属メッキ処理を施した樹脂製ハウジングで覆うことでシールドし、外部への漏洩を抑制していた。しかし、この金属メッキ処理を施した樹脂製ハウジングでは、通常の樹脂製ハウジングに比べてコストアップに繋がるという問題があった。勿論、ハウジングを金属製にすることでも、シールドは可能であるが、通常の樹脂製ハウジングに比べ、同様にコストアップに繋がる他、重量アップを招くという問題もあった。
【０００７】
一方、こうしたハウジングによるシールドではなく、フィルタを装着することで不要輻射ノイズの抑制を図る方法もある。例えば、フェライトコアのコイルを電源回路基板のノイズが生ずる前記電源ラインに装着する。この方法によれば、フェライトコアにおいて、ノイズ成分の磁力線に抗するインダクタンスが作用して熱に変換され、特に問題となる高周波成分の不要輻射ノイズを、低コストで効果的に抑制することができる。
【０００８】
このようなフェライトコアの最も簡易な配置構造は、回路基板上に直接固定はせず、単にフェライトコアに巻き回される配線によってのみ支持された状態で、回路基板上に半浮遊のように配置するものである。この配置構造は、低コストではあるが、機器の信頼性試験として落下試験を行った場合、フェライトコアが振動、干渉し、破損したり、配線に応力が加わって断線したりする恐れがあった。
【０００９】
そこで、こうしたフェライトコアの振動を防止するために、例えば、SHENZHEN JEWEL(JINGCHEN)ELECTRONIC＆TECHNOLOGY CO.,LTD製のMODEL 「LLBG00ZXB011」のようにフェライトコアを横に寝かせ、裏面に接続端子ピンを設けた台座に載置、固定した上で基板上に実装する配置構造があった。この構造によれば、フェライトコアは台座を介して基板上に固定されるため、振動試験の際、フェライトコアが振動し、損傷する恐れはない。しかしその一方で、基板上におけるフェライトコアの実装面積が大きくなるという別の問題が生じていた。又、接続端子ピンの基板スルーホールに対する挿入向きを間違えて誤実装し易いという問題もあった。
【００１０】
ところで、特開平９−１７６６４号公報（特許文献１）には、フェライトコアを載置した台座にコ字状の枠部を設けることでその形状を特徴付け、実装時に作業者が目視して実装向きを視認容易にする構成が開示されている。
【００１１】
又、実開平６−８６３２０号公報（特許文献２）には台座上中央に一体的に立設された巻枠の外周に水平に巻線を巻き回す薄型高圧トランス用コイルボビンの構成が開示されている。
【特許文献１】特開平９−１７６６４号公報
【特許文献２】実開平６−８６３２０号公報
【発明の開示】
【発明が解決しようとする課題】
【００１２】
しかしながら、上述した特許文献１においては、台座はその外観上の特徴から確かに作業者が実装向きを視認し易くなってはいるが、未だ実装向きを誤実装する可能性を完全に排除し得ていない。即ち、人による作業である以上、作業者が外観上の特徴を見落として基板に挿入してしまう可能性があり、その場合、誤実装となり得る。又、フェライトコアは台座に対して横向きで載置されているので、実装面積が大きいという問題は解決し得ない。
【００１３】
一方、特許文献２においては、台座自体に一体的にコイルを成す巻枠が設けられたボビンである上、巻線の巻き方向も当該巻枠の外周に水平であって、上述したフェライトコアを台座上に載置する構成とは異なり、実装面積が大きいこと、及び誤実装の問題はやはり解決し得ない。
【００１４】
本発明は、上記課題にかんがみてなされたもので、フェライトコア等のコイルを載置した台座を回路基板に挿入実装するに際し、実装面積が小さく、挿入時の誤実装を確実に防止し得るコイル装着器及びコイル実装方法を提供することを目的とする。
【課題を解決するための手段】
【００１５】
上記問題を解決する為に請求項１に記載の発明は、電気電子機器に搭載される回路基板上にコイルを実装する際に装着するコイル装着器であって、当該コイル装着器は、
コイルを載置する台座と、当該台座の上部周縁に立設され、コイルを上方より縦状に案内し位置決めするガイド部材と、当該ガイド部材の下端より上方の一定位置の内側面に設けられ、コイルを当該一定位置で係止する段部と、台座の下部周縁から下方伸延され、台座を前記回路基板上に支持する支持部と、台座の下部周縁から下方伸延され、台座を前記回路基板上に挿入実装する、前記支持部よりも長い実装端子とを有して成り、前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、前記ガイド部材は前記台座上面の略正方形の各角部に４つ立設される一方、前記支持部材は台座下面の略正方形の各角部に４つ伸延して設けられ、前記実装端子は、台座下面の貫通孔周囲に非対称に３つ伸延して設けられ、前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、当該フェライトコアを前記ガイド部材間に上方から縦状に挿入し、前記段部に一定位置で係止させることで生ずるフェライトコアと台座間の空隔に、フェライトコアに巻き回される配線を収納することで配線の台座との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成す構成としている。
【００１６】
上記のように構成した請求項１に記載の発明によれば、フェライトコアはガイド部材により台座上の水平位置が、段部により垂直位置が各々正確に位置決めされる。段部で位置決めされた垂直位置によって生じたフェライトコアと台座間の空隔には、フェライトコアに巻き回される配線が収納され、配線の台座との干渉を回避し且つ、放熱空間を確保する。配線端部を前記溝部に嵌入係止することで隣接する実装端子との間の半田接続が容易になるとともに誤接続が抑制される。更に、実装端子の非対称な配置により、実装方向を規制する。
【００１７】
請求項２に記載の発明は、電気電子機器に搭載される回路基板上にコイルを実装する際に装着するコイル装着器であって、当該コイル装着器は、コイルを載置する台座と、当該台座の上部周縁に立設され、コイルを上方より縦状に案内し位置決めするガイド部材と、台座の下部周縁から下方伸延され、台座を前記回路基板上の一定位置で支持する支持部と、台座の下部周縁から下方伸延され、台座を前記回路基板上に挿入実装する、前記支持部よりも長い実装端子とを有して成り、前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、前記ガイド部材は前記台座上面の略正方形の各角部に４つ立設される一方、前記支持部材は台座下面の略正方形の各角部に４つ伸延して設けられ、前記実装端子は、台座下面の貫通孔周囲に非対称に３つ伸延して設けられ、前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、当該フェライトコアを配線を巻き回す前に前記ガイド部材間に上方から縦状に挿入し、台座上に載置した後に配線を支持部間を跨ぐように台座ごとフェライトコアに巻き回し、支持部によって生ずる台座と基板間の空隔に、フェライトコア及び台座に巻き回される配線を収納することで配線の基板との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成す構成としている。
【００１８】
上記のように構成した請求項２に記載の発明によれば、フェライトコアはガイド部材により台座上の水平位置が、台座により垂直位置が各々正確に位置決めされる。支持部によって生ずる台座と基板間の空隔には、フェライトコア及び台座に巻き回される配線が収納され、配線の基板との干渉を回避し且つ、放熱空間を確保する。配線端部を前記溝部に嵌入係止することで隣接する実装端子との間の半田接続が容易になるとともに誤接続が抑制される。更に、実装端子の非対称な配置により、実装方向を規制する。
【００１９】
請求項３に記載の発明は、電気電子機器に搭載される回路基板上にコイルを実装する際に装着するコイル装着器であって、当該コイル装着器は、コイルを載置する台座と、当該台座の上部周縁に立設され、コイルを上方より縦状に案内し位置決めするガイド部材と、台座の下部周縁から下方伸延され、台座を前記回路基板上に挿入実装する、実装端子とを有して成り、当該コイルを前記ガイド部材間に上方から縦状に挿入して台座上に当接載置し、コイルと前記ガイド部材間の接着剤による固定後、コイルの配線を適宜実装端子と接続し、実装端子を回路基板に対応して設けられたスルーホールに半田実装することで、実装端子を介した回路基板への固定と電気接続を行い、回路基板へのコイルの縦状実装を成す構成としている。
【００２０】
上記のように構成した請求項３に記載の発明によれば、コイルはガイド部材により台座上の水平位置が正確に位置決めされる。
請求項４に記載の発明は、前記実装端子は、台座下面に非対称に複数が伸延して設けられ、回路基板に対応して設けられたスルーホールに半田実装することで誤実装を抑制せしめる構成としている。
【００２１】
上記のように構成した請求項４に記載の発明によれば、上記請求項３に記載の作用に加え、実装端子の非対称な配置により、実装方向を規制する。
【００２２】
請求項５に記載の発明は、前記コイル装着器は、台座の下部周縁から下方伸延され、台座を前記回路基板上に支持する支持部を有する一方、前記実装端子は当該支持部よりも長く形成され、コイルが台座に載置された当該コイル装着器は、支持部下端が回路基板に当接、立脚した状態で実装端子が回路基板のスルーホールに挿入実装される構成としている。
【００２３】
上記のように構成した請求項５に記載の発明によれば、上記請求項４に記載の作用に加え、台座及び台座に載置されたコイルが、支持部により回路基板から一定高さに離間した状態で正確に位置決めされる。
【００２４】
請求項６に記載の発明は、前記コイル装着器は、前記ガイド部材の下端より上方の一定位置の内側面に設けられ、コイルを当該一定位置で係止する段部を有し、前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、前記ガイド部材は前記台座上面の略正方形の各角部に４つ立設される一方、前記支持部材は台座下面の略正方形の各角部に４つ伸延して設けられ、前記実装端子は、台座下面の貫通孔周囲に非対称に３つ伸延して設けられ、前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、当該フェライトコアを前記ガイド部材間に上方から縦状に挿入し、前記段部に一定位置で係止させることで生ずるフェライトコアと台座間の空隔に、フェライトコアに巻き回される配線を収納することで配線の台座との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成す構成としている。
【００２５】
上記のように構成した請求項６に記載の発明によれば、請求項１に記載の作用と同様の作用が得られる。
【００２６】
請求項７に記載の発明は、前記コイル装着器は、台座の下部周縁から下方伸延され、台座を前記回路基板上の一定位置で支持する支持部を有し、前記台座は断面が略正方形の板材の略中心に貫通孔が設けられると共に、前記実装端子の何れか１つに隣接する当該貫通孔の縁部に、前記コイルに巻き回される配線の端部を嵌入係止可能な溝部を有し、前記ガイド部材は前記台座上面の略正方形の各角部に４つ立設される一方、前記支持部材は台座下面の略正方形の各角部に４つ伸延して設けられ、前記実装端子は、台座下面の貫通孔周囲に非対称に３つ伸延して設けられ、前記電気電子機器はプロジェクタであって、前記コイルは当該プロジェクタ内のランプと電源回路間の給電経路接続部で生ずる不要輻射電波の放射を抑制するフィルター用として設けられる配線が巻き回された筒状フェライトコアから成り、当該フェライトコアを配線を巻き回す前に前記ガイド部材間に上方から縦状に挿入し、台座上に載置した後に配線を支持部間を跨ぐように台座ごとフェライトコアに巻き回し、支持部によって生ずる台座と基板間の空隔に、フェライトコア及び台座に巻き回される配線を収納することで配線の基板との干渉を回避し且つ、放熱空間を確保しつつ装着せしめ、当該配線端部を前記溝部に嵌入係止することで隣接する実装端子との間の半田接続を容易ならしめるとともに誤接続を抑制せしめ、フェライトコアと前記ガイド部材間の接着剤による固定後、非対称に設けられた３つの実装端子を、回路基板に対応して設けられたスルーホールに半田実装することで誤実装を抑制しつつ、３つの実装端子を介した回路基板への固定と、１つの実装端子を介した回路基板への電気接続とを以って、回路基板へのフェライトコアの縦状実装を成す構成としている。
【００２７】
上記のように構成した請求項７に記載の発明によれば、請求項２に記載の作用と同様の作用が得られる。
【００２８】
上記したコイル装着器は、方法として構成することも可能である。そこで、請求項８に記載の発明は、電気電子機器に搭載される回路基板上にコイルを実装する際に用いるコイル実装方法であって、当該コイル実装方法は、略中心に貫通孔を有する断面が略正方形の板状の台座の各角部に立設した４つのガイド部材間に上方からコイルを縦状に挿入し、当該ガイド部の下端より上方の一定位置の内側面に設けられた段部で当接係止して生じたコイルと台座間の空隔に、フェライトコアに巻き回される配線を収納することで配線の台座との干渉を回避し且つ、放熱空間を確保可能に装着し、台座の前記貫通孔の縁部に設けられた溝部に、前記コイルに巻き回される配線の端部を嵌入係止することで、台座下面の貫通孔周囲に非対称に３つ伸延して設けられた実装端子の内の隣接する１つと誤接続を抑制可能に容易に半田接続し、コイルとガイド部間を接着剤で固定後、台座下面の略正方形の各角部から下方伸延された４つの支持部が回路基板上に当接するまで、当該支持部よりも長く下方へ非対称に３つ伸延された前記実装端子を、配線基板に対応して設けられたスルーホールに誤実装を抑制可能に半田挿入実装することで、３つの実装端子を介した回路基板への固定と、１つの実装端子を介した回路基板への電気接続とを行い、回路基板へのコイルの縦状実装を成すコイル実装方法の構成としている。
【００２９】
上記のように構成した請求項８に記載の発明によれば、請求項１と同様の作用が得られるコイル実装方法を提供し得る。
【発明の効果】
【００３０】
請求項１に記載の発明によれば、台座上に縦方向に正確に位置決め配置されたフェライトコアを誤実装する事無く、少ない実装面積で容易に実装できる。
【００３１】
請求項２に記載の発明によれば、請求項１同様に、台座上に縦方向に正確に位置決め配置されたフェライトコアを誤実装する事無く、少ない実装面積で容易に実装できる。
【００３２】
請求項３に記載の発明によれば、台座上に縦方向に正確に位置決め配置されたコイルを、少ない実装面積で容易に実装できる。
【００３３】
請求項４に記載の発明によれば、上記請求項３に記載の効果に加え、実装方向の誤実装を確実に防止する。
【００３４】
請求項５に記載の発明によれば、上記請求項４に記載の効果に加え、支持部による回路基板からの離間により、コイルの効率良い放熱を成し得、信頼性を一層向上でき
る。
【００３５】
請求項６に記載の発明によれば、上記請求項１と同様の効果が得られる。
【００３６】
請求項７に記載の発明によれば、上記請求項２と同様の効果が得られる。
【００３７】
請求項８に記載の発明によれば、請求項１に記載の発明と同様の効果が得られるコイル実装方法を提供できる。
【発明を実施するための最良の形態】
【００３８】
以下、本発明を具体化した実施例について説明する。
【実施例１】
【００３９】
図１には、本実施例のコイル装着器を適用する電気電子機器としてのプロジェクタを説明する概略斜視図を示す。
【００４０】
プロジェクタ１１は、パソコンやビデオカメラ等から入力される画像信号を基に、内蔵の画像形成素子を用いて画像を形成し、その画像をスクリーンや壁面等に投射表示する装置である。このプロジェクタ１１は、前方に画像を投射するための投射レンズ１１ａを備え、内部に画像投射用の光を投光するランプユニット１１ｂと、画像形成素子にて形成した画像をランプユニット１１ｂからの光を用いて投射レンズ１１ａから投射させる画像投射ユニット１１ｃとを内蔵している。また、ランプユニット１１ｂ内には、ランプ１１ｄと電源回路１１ｅが設けられ、電源回路１１ｅからランプ１１ｄへは配線１２を介して所定の電源電圧が適宜給電制御されるようになっている。又、ランプ１１ｄは定期的に交換が必要となるため、着脱交換可能な構造になっており、電源回路１１ｅからへの前記配線１２の経路には、給電経路接続部としてのコネクタ１１ｆが設けられている。
【００４１】
前記電源回路１１ｅは、所定の回路部品が実装された回路基板としてのＰＣＢ（プリント配線基板）１３から成り、当該ＰＣＢ１３から前記配線１２を介してランプ１１ｄに所定の電源供給が行われる。配線１２のＰＣＢ１３側には、コイルとしてのフェライトコア１４が装着されている。
【００４２】
当該フェライトコア１４は、図２に示すように筒状に形成され、ランプ１１ｄ側から連なる配線１２はフェライトコア１４の中心穴１４ａの一端側から挿入し、他端側から導出した後に１回巻き回されて再度、一端側から挿入し、他端側から導出して、ＰＣＢ１３側のＧＮＤへと接続される。
【００４３】
上記のようにランプ１１ｄに給電される配線１２が巻き回されたフェライトコア１４は、後述するコイル装着器１５を介してＰＣＢ１３上に縦状、即ち中心穴１４ａを上下方向にした状態で、実装される。
【００４４】
前記コイル装着器１５は、図３に示すように、前記フェライトコア１４を載置する台座１５ａと、当該台座１５ａの上部周縁に立設され、フェライトコア１４を上方より縦状に案内し位置決めするガイド部材１５ｂと、当該ガイド部材１５ｂの下端より上方の一定位置の内側面に設けられ、フェライトコア１４を当該一定位置で係止する段部１５ｃと、台座１５ａの下部周縁から下方伸延され、台座１５ａを前記ＰＣＢ１３上に支持する支持部１５ｄと、台座１５ａの下部周縁から下方伸延され、台座１５ａを前記ＰＣＢ１３上に挿入実装する、前記支持部１５ｄよりも長い接続端子１５ｅとを有している。
【００４５】
前記台座１５ａは、略中心部分に貫通孔１５ｆが設けられた断面が略正方形の板材から成る。当該貫通孔１５ｆの周囲に後述するように非対称に３つ設けられる接続端子１５ｅのうちの１つに隣接する該貫通孔１５ｆ周縁には、フェライトコア１４に巻き回される配線１２の、ＰＣＢ１３のＧＮＤへと接続される側の端部１２ａが嵌入係止可能に例えば断面略円弧状の溝部１５ｇが設けられている。
【００４６】
前記ガイド部材１５ｂは、下端から一定位置までの断面が方形、一定位置以上の断面が方形の隣接する２辺をフェライトコア１４の断面外形曲率よりやや大きい円で削ぎ落としたような形状の柱状であり、当該台座１５ａの略正方形の上面の４つの角部に湾曲面１５ｂ１が内側に相対するような向きで各々垂直に立設される。前記湾局面１５ｂ１は、後述するようにフェライトコア１４が上方から挿入された際のガイド面として機能する。又、各ガイド部材１５ｂの相対距離は、フェライトコア１４の挿入時に、がたつくことなくスムーズ且つ正確な位置決めが可能な程度に設定されている。又、ガイド部材の高さは、フェライトコア１４の挿入時に確実なガイドと位置決めが可能な程度の高さに適宜設定されている。
【００４７】
前記段部１５ｃは、前述した前記ガイド部材１５ｂの一定位置において、断面が変化し下部側が内方へ突出した状態で形成される。尚、この一定位置の高さは、後述するように上方から挿入されるフェライトコア１４の下端側の巻き回された配線１２が前記台座１５ａ上面に当接、干渉しない程度の距離に設定され、フェライトコア１４の縦方向の位置決めストッパとして機能する。
【００４８】
前記支持部１５ｄは、台座１５ａの略正方形の下面の４つの角部から各々円柱が下方に伸延されて成る。当該円柱の伸延長さは、フェライトコア１４から発生する熱を効率良く放熱可能な空隙が、台座１５ａの下面とＰＣＢ１３実装面の間に形成される程度に適宜設定される。
【００４９】
コイル装着器１５を構成する、以上の前記台座１５ａ、前記溝部１５ｇ、前記ガイド部材１５ｂ、前記段部１５ｃ、及び前記支持部１５ｄは、例えばＡＢＳ樹脂（アルキルベンゼンスルホン酸樹脂）等の耐熱性に優れた樹脂で一体成形されている。
【００５０】
一方、前記接続端子１５ｅは、例えば表面にＡｕメッキの施されたＣｕ製のピンであり、台座１５ａ下面の前記貫通孔１５ｆ周縁に非対称且つ、適度に貫通孔１５ｆ全体に散在するように３本が、例えば圧入して設けられ、下方へ伸延されてている。但し、内１本は前述した通り、前記溝部１５ｇに隣接する位置にある。当該接続端子１５ｅの下方への伸延長さは、前記支持部１５ｄの長さよりも長く、且つ後述するようにコイル装着器１５をＰＣＢ１３の対応して設けられたスルーホール１３ａに挿入実装した際、半田接続に適する程度の長さに設定されている。
【００５１】
次に、以上のように構成されたコイル装着器１５、及びフェライトコア１４のＰＣＢ１３に対する実装、組付け構造を説明する。
【００５２】
まず、前述したように配線１２が巻き回されたフェライトコア１４は、ランプ１１ｄ側に連なる配線１２が導出している中心穴１４ａの一端側を上側に、ＰＣＢ１３側に接続する配線１２が導出している中心穴１４ａの他端側を下側にした縦状の向きで、コイル装着器１５のガイド部材１５ｂ間に、ガイドされつつ挿入される。すると、図４に示すように、当該フェライトコア１４の他端側は前記段部１５ｃに当接する。  即ち、フェライトコア１４はガイド部材１５ｂにより台座１５ａ上の水平位置が、段部１５ｃにより垂直位置が各々正確且つ容易に位置決めされる。又、段部１５ｃで位置決めされた垂直位置によって生じたフェライトコア１４と台座１５ａ間の空隔１６には、フェライトコア１４に巻き回される配線１２が収納され、配線１２の台座１５ａとの干渉を回避し且つ、作動時のフェライトコア１４からの発熱を効率良く放熱する空間を確保することができる。
【００５３】
挿入されたフェライトコア１４とガイド部材１５ｂ間は、例えば不図示のシリコン樹脂等の接着剤により接着固定される。続いて、フェライトコア１４の下部（他端側）から導出される配線１２の端部を、図５に示すように表面の保護皮膜を剥いて導体１２ａが露出した状態に加工した上、露出した当該導体１２ａ部分が隣接する接続端子１５ｅに略接触、或いは近接する状態となるように矢印Ｒで示す方向から前記溝部１５ｇに嵌入係止し、両者間（領域Ｓ）を半田接続する。
【００５４】
このような配線１２端部の溝部１５ｇへの嵌入係止により、３つある実装端子１５ｅのうち、半田接続が必要な１つと誤接続することなく確実に半田接合を行い得る。更に、半田接合時に配線１２端部は係止されているので、半田接続作業を容易に行い得る。
【００５５】
そして、このようにフェライトコア１４が載置され、結線されたコイル装着器１５は、非対称に配置された接続端子１５ｅが、ＰＣＢ１３に対応して設けられたスルーホール１３ａに挿入される。この時、コイル装着器１５は、支持部１５ｄがＰＣＢ１３上に当接し、台座１５ａが一定高さＰＣＢ１３と離間した状態で支持される。最後に、接続端子１５ｅがＰＣＢ１３のスルーホール１３ａ内に半田接続され、フェライトコア１４のコイル装着器１５を介したＰＣＢ１３への実装が完了する。即ち、接続端子１５ｅは、全３本でコイル装着器１５、及び載置されたフェライトコア１４をＰＣＢ１３に固定すると同時に、配線１２端部に隣接する内１本でＰＣＢ１３と電気的な接続が行われることになる。
【００５６】
このような接続端子１５ｅの非対称配置により実装方向が規制されるため、コイル装着器１５の誤実装を確実に防止できる。又、支持部１５ｄの立脚によるコイル装着器１５のＰＣＢ１３に対する離間配置により、作動時のフェライトコア１４からの発熱を効率良く放熱する空間を確保することができる。
【００５７】
以上に説明したように、本実施例におけるコイル装着器１５においては、フェライトコア１４を縦方向に載置してＰＣＢ１３に実装するようにしたので、最小限の実装面積でフェライトコア１４を実装できる。
【００５８】
併せて、コイル装着器１５を構成する台座１５ａ、ガイド部材１５ｂ、段部１５ｃ、支持部１５ｄ、及び溝部１５ｇとにより、フェライトコア１４の正確且つ容易な位置決め装着、高い放熱性、高い作業性を奏し得る。
【００５９】
尚、本願発明は本実施例の構成に限定されるものではなく、以下に列記する構成について、適宜変更可能である。
【００６０】
１．本実施例においては、電気電子機器としてプロジェクタに具体化した例で説明したが、これに限定されることはなく、他の種々の電気電子機器に適宜適用可能である。
【００６１】
２．本実施例においては、コイルとしてフェライトコアに具体化した例で説明したが、これに限定されることはなく、他の種々のコイルに適宜適用可能である。又、コイルへの配線の巻き回し回数も、本実施例のような１回に限定はされず、２回以上であっても良い。
【００６２】
３．本実施例においては、フェライトコアに巻き回される配線は、段部によって創出される台座間との空間に収納することで、台座との干渉を回避しているが、これに限定されることはなく、例えば、図に示すように段部を省略して配線を巻き回す前のフェライトコアを台座上に当接するように載置した後に、配線を支持部間を跨ぐように台座ごとフェライトコアに巻き回し、支持部によって生ずる台座と基板間の空隔に、フェライトコア及び台座に巻き回される配線を収納することで配線の基板との干渉を回避するようにしても良い。
【００６３】
このような構造によっても、本実施例と同様の作用効果が得られる。尚、段部によって創出されていた空間は無くなるが、支持部によってＰＣＢとの間に空隔が創出されているので、動作時にフェライトコアの放熱性が損なわれる心配はない。
【００６４】
４．更に、段部を無くした上、フェライトコアを配線が巻き回された状態で、ガイド部材間に挿入するようにしても良い。この場合、巻き回された配線の下部が台座に干渉するが、ガイド部材で水平方向の位置決めが成されているので、がた付くような恐れはないし、放熱性に関しても上記同様、支持部によって創出された空間で成されるので、損なわれることはない。
【００６５】
５．フェライトコアのコイル装着器に対する固定は、本実施例におけるような接着剤
よる方法に限定されるものではなく、例えばネジ等の他の方法で固定しても良い。
【００６６】
６．本実施例における支持部を省略し、台座裏面を直接、ＰＣＢ上に当接させるように実装しても良い。この場合でも、フェライトコア下方には段部による空隔が形成されているため、作動時にフェライトコアの放熱性が損なわれる恐れは無い。
【００６７】
７．溝部は、本実施例におけるような、台座の貫通孔周縁に断面略円弧状に設ける構成には限定されず、隣接する接続端子に半田付け容易な状態に係止できれば、他の如何なる形状であっても構わない。例えば、溝ではなく、貫通孔にしても良い。
【００６８】
８．同様に、ガイド部材、台座、支持部、及び段部の具体的な形状及び配置数は、本実施例に限定されるものではなく、同様の機能が得られる他の形状、配置数であっても良い。
【００６９】
例えば、ガイド部材は４本に限定はされず、上方より挿入されるフェライトコアの水平位置を位置決めし、スムーズに挿入可能であれは、２本、３本、或いは５本以上設けても良い。又、その断面形状も、フェライトコアに接する面が湾局面ではなく、例えば、突起を設けてその部分だけがフェライトコアに接するような形状が挙げられる。
【００７０】
台座も、本実施例のような略中心部分に貫通孔が設けられた断面が略正方形の板材から成る形状ではなく、例えばフェライトコアの外形より一回り大きい円状の断面を有するような板材にしても良い。貫通孔も省略しても良い。この場案、溝部の代わりに、配線端部を挿入係止する孔を設ける。
【００７１】
段部も、ガイド部材全てに設ける構成に限定はされず、一部のガイド部材に設けるようにしても良い。更に、ガイド部材自体は設けず、台座上に独立して立設するようにしても良い。
【００７２】
支持部も、４本ではなく、１〜３本、或いは５本以上設けても良い。更に、支持部を接続端子と一体化しても良い。具体的には、接続端子に段部を設け、ＰＣＢのスルーホールへの挿入時に当該段部でＰＣＢ上に係止させるような構成が挙げられる。これによれば、コストを一層、低減できる。
【００７３】
９．接続端子の配置を非対称にする構成を省略しても良い。この場合、誤実装防止の作用効果は得られなくなるが、他の作用効果は引き続き得られる。
【００７４】
１０．接続端子の台座への装着方法は、本実施例における圧入に限定されるものではなく、例えば台座、ガイド部材、支持部等の樹脂成形時に同時にアウトサート成形しても良い。或いは、接続端子にネジを形成して樹脂側に締結するようにしても良い。
【００７５】
１１．１つのコイル装着器に載置するコイルは１つに限定はされず、複数を載置するようにしても良い。その場合、コイルの数に応じて、ガイド部材、段部、溝部、及び接続端子の数を適宜、増設する。
【００７６】
１１．以上に述べたコイル装着器としての構成のみならず、同様の構成によるコイル実装方法としても提供し得るのは言うまでも無い。
【産業上の利用可能性】
【００７７】
フェライトコア等のコイルを載置した台座を回路基板に挿入実装するに際し、実装面積が小さく、挿入時の誤実装を確実に防止し得るコイル装着器及びコイル実装方法を提供する。
【図面の簡単な説明】
【００７８】
【図１】本発明の実施例１を説明する概略斜視図である。
【図２】本発明の実施例１を説明する概略斜視図である。
【図３】本発明の実施例１を説明する概略斜視図である。
【図４】本発明の実施例１を説明する概略斜視図である。
【図５】本発明の実施例１を説明する概略斜視図である。
【符号の説明】
【００７９】
１１…プロジェクタ
１１ｄ…ランプ
１１ｅ…電源回路
１２…配線
１３…ＰＣＢ
１３ａ…スルーホール
１４…フェライトコア
１５…コイル装着器
１５ａ…台座
１５ｂ…ガイド部材
１５ｃ…段部
１５ｄ…支持部
１５ｅ…接続端子
１５ｆ…貫通孔
１５ｇ…溝部
１６…空隔
【図１】
2006216915.tif 000003
【図２】
2006216915.tif 000004
【図３】
2006216915.tif 000005
【図４】
2006216915.tif 000006
【図５】
2006216915.tif 000007